(57)【特許請求の範囲】
【請求項１】
充電器が送信するビーコン信号に含まれる前記充電器の識別情報を、ユーザが操作する携帯端末から受信する手段と、
前記識別情報に対応する前記充電器の情報を前記携帯端末へ送信する手段と、
前記携帯端末のアプリケーションプログラムが管理する前記ユーザの認証情報を、前記携帯端末から受信する手段と、
前記携帯端末のアプリケーションプログラムが管理する決済情報の有効性に係る情報を前記携帯端末から受信する手段と、
前記認証情報による認証が成功し、前記決済情報が有効である場合に、前記充電器に対する充電開始要求をＯＣＰＰ（Ｏｐｅｎ  Ｃｈａｒｇｅ  Ｐｏｉｎｔ  Ｐｒｏｔｏｃｏｌ）に基づき送信する手段と、
前記充電開始要求を前記充電器に送信する際に、前記携帯端末にクーポンを発行するための処理を行う手段と
を備える充電制御システム。
【請求項２】
前記充電器から充電完了通知をＯＣＣＰに基づき受信する手段と、
前記充電完了通知を前記携帯端末へ送信する手段と
を更に備える請求項１記載の充電制御システム。
【請求項３】
前記充電器からＯＣＣＰに基づき充電状況を受信する手段と、
前記充電状況を前記携帯端末へ送信する手段と
を更に備える請求項１又は請求項２記載の充電制御システム。
【請求項４】
前記クーポンは、前記充電器に対応付けられた店舗に関するものである、
請求項１乃至請求項３のいずれか１項記載の充電制御システム。
【請求項５】
前記クーポンは、前記充電器による充電内容に応じて変化する、
請求項１乃至請求項４のいずれか１項記載の充電制御システム。
【請求項６】
充電器の識別情報を含むビーコン信号を前記充電器から受信する処理と、
前記識別情報を情報処理サーバへ送信する送信処理と、
前記識別情報に対応する前記充電器の情報を前記情報処理サーバから受信する処理と、
ユーザの認証情報及び当該ユーザの決済情報を管理する処理と、
前記決済情報の有効性を、決済用サーバとの間で確認する処理と、
前記認証情報を前記情報処理サーバへ送信すると共に、前記決済情報の有効性に係る情報を前記情報処理サーバへ送信する処理と、
前記充電器による充電開始に伴い、前記ユーザが利用可能なクーポンの発行を受ける処理と、
を携帯端末に実行させるためのアプリケーションプログラム。
【請求項７】
前記送信処理において、前記識別情報を、前記ユーザによる明示的な操作なしに前記情報処理サーバへ送信する、
処理を前記携帯端末に実行させるための請求項６記載のアプリケーションプログラム。
【請求項８】
前記充電器による充電の完了通知を前記情報処理サーバから受信する処理と、
前記完了通知に基づき、前記決済用サーバとの間で行う決済処理と、
前記完了通知を前記ユーザへ報知する処理と
を更に前記携帯端末に実行させるための請求項６又は請求項７記載のアプリケーションプログラム。
【請求項９】
前記充電器による充電状況を前記情報処理サーバから受信する処理と、
前記充電状況を前記ユーザへ報知する処理と
を更に前記携帯端末に実行させるための請求項６乃至請求項８のいずれか１項記載のアプリケーションプログラム。
【請求項１０】
充電器が自装置の識別情報を含むビーコン信号を送信するステップと、
前記ビーコン信号に含まれる前記識別情報を、ユーザが操作する携帯端末が情報処理サーバへ送信する送信ステップと、
前記情報処理サーバが、前記識別情報に対応する前記充電器の情報を前記携帯端末へ送信するステップと、
前記携帯端末のアプリケーションプログラムが管理する前記ユーザの認証情報を、前記携帯端末が前記情報処理サーバへ送信するステップと、
前記携帯端末のアプリケーションプログラムが管理する前記ユーザの決済情報の有効性を、前記携帯端末が確認するステップと、
前記決済情報の有効性に係る情報を、前記携帯端末が前記情報処理サーバへ送信するステップと、
前記認証情報による認証が成功し、前記決済情報が有効である場合に、前記情報処理サーバが前記充電器に対し、充電開始要求をＯＣＰＰに基づき送信するステップと、
前記充電器への前記充電開始要求の送信に伴い、前記携帯端末へクーポンを発行するステップと
を備える充電制御方法。
【請求項１１】
前記携帯端末が、前記情報処理サーバから受信した前記充電器の情報を表示する表示ステップ
を更に備え、
前記送信ステップ及び前記表示ステップにおいて、前記携帯端末は、前記ユーザによる明示的な操作なしに前記情報処理サーバへ前記識別情報を送信し、前記充電器の情報を表示する、
請求項１０記載の充電制御方法。
【請求項１２】
前記充電器が前記情報処理サーバへＯＣＰＰに基づいて充電完了通知を送信するステップと、
前記充電完了通知を前記情報処理サーバが前記携帯端末へ送信するステップと、
前記携帯端末が、前記情報処理サーバが決済用サーバとの間で決済処理を行うステップと、
充電及び決済の完了を前記ユーザへ報知するステップと
を更に備える請求項１０又は請求項１１記載の充電制御方法。
【発明の詳細な説明】
【技術分野】
【０００１】
本発明に係るいくつかの態様は、充電制御システム、アプリケーションプログラム、及び充電制御方法に関する。
【背景技術】
【０００２】
近年、電気自動車の普及に伴い、電気自動車への充電サービスが徐々に普及しつつある。例えば特許文献１には、給電スタンドと、ユーザが利用する端末機と通信網を介して通信するサーバとからなる電動車両用給電システムが開示されている。当該システムでは、給電スタンドに、そのスタンドを特定するための識別コードが表示され、その識別コードが端末機を介してサーバに送信されることで、どの給電スタンドから給電を行うかをサーバが認識する。ユーザは、充電ケーブルで給電スタンドと車載電池とを接続して、端末機からサーバを介した要求により、給電スタンドから車載電池に給電させる。
【先行技術文献】
【特許文献】
【０００３】
【特許文献１】特許第５４８９３０２号公報
【発明の概要】
【発明が解決しようとする課題】
【０００４】
しかしながら、特許文献１記載の手法では、給電スタンドに表示された識別コードを、ユーザが端末機により読み取る必要がある。また、ユーザは、ユーザに固有のＩＤとパスワードを認証のために毎回入力する必要がある。更には、充電が完了したことは、サーバから電子メールで端末機に通知される。つまり、ユーザは端末機上でメールソフトを起動させ、その中から電子メールを選択し、その内容を確認しない限り、充電を完了したことを知ることはできない。つまり、特許文献１記載の手法では、給電に要するユーザ操作が極めて煩雑であった。
【０００５】
本発明のいくつかの態様は前述の課題に鑑みてなされたものであり、充電サービスの利便性を向上させることのできる充電制御システム、アプリケーションプログラム、及び充電制御方法を提供することを目的の１つとする。
【課題を解決するための手段】
【０００６】
本発明に係る充電制御システムは、充電器が送信するビーコン信号に含まれる前記充電器の識別情報を、ユーザが操作する携帯端末から受信する手段と、前記識別情報に対応する前記充電器の情報を前記携帯端末へ送信する手段と、前記携帯端末のアプリケーションプログラムが管理する前記ユーザの認証情報を、前記携帯端末から受信する手段と、前記携帯端末のアプリケーションプログラムが管理する決済情報の有効性に係る情報を前記携帯端末から受信する手段と、前記認証情報による認証が成功し、前記決済情報が有効である場合に、前記充電器に対する充電開始要求をＯＣＰＰ（Ｏｐｅｎ  Ｃｈａｒｇｅ  Ｐｏｉｎｔ  Ｐｒｏｔｏｃｏｌ）に基づき送信する手段と、前記充電開始要求を前記充電器に送信する際に、前記携帯端末にクーポンを発行するための処理を行う手段とを備える。
【０００７】
本発明に係るアプリケーションプログラムは、充電器の識別情報を含むビーコン信号を前記充電器から受信する処理と、前記識別情報を情報処理サーバへ送信する送信処理と、前記識別情報に対応する前記充電器の情報を前記情報処理サーバから受信する処理と、ユーザの認証情報及び当該ユーザの決済情報を管理する処理と、前記決済情報の有効性を、決済用サーバとの間で確認する処理と、前記認証情報を前記情報処理サーバへ送信すると共に、前記決済情報の有効性に係る情報を前記情報処理サーバへ送信する処理と、前記充電器による充電開始に伴い、前記ユーザが利用可能なクーポンの発行を受ける処理と、を携帯端末に実行させる。
【０００８】
本発明に係る充電制御方法は、充電器が自装置の識別情報を含むビーコン信号を送信するステップと、前記ビーコン信号に含まれる前記識別情報を、ユーザが操作する携帯端末が情報処理サーバへ送信する送信ステップと、前記情報処理サーバが、前記識別情報に対応する前記充電器の情報を前記携帯端末へ送信するステップと、前記携帯端末のアプリケーションプログラムが管理する前記ユーザの認証情報を、前記携帯端末が前記情報処理サーバへ送信するステップと、前記携帯端末のアプリケーションプログラムが管理する前記ユーザの決済情報の有効性を、前記携帯端末が確認するステップと、前記決済情報の有効性に係る情報を、前記携帯端末が前記情報処理サーバへ送信するステップと、前記認証情報による認証が成功し、前記決済情報が有効である場合に、前記情報処理サーバが前記充電器に対し、充電開始要求をＯＣＰＰに基づき送信するステップと、前記充電器への前記充電開始要求の送信に伴い、前記携帯端末へクーポンを発行するステップとを備える。
【０００９】
なお、本発明において、「部」や「手段」、「装置」、「システム」とは、単に物理的手段を意味するものではなく、その「部」や「手段」、「装置」、「システム」が有する機能をソフトウェアによって実現する場合も含む。また、１つの「部」や「手段」、「装置」、「システム」が有する機能が２つ以上の物理的手段や装置により実現されても、２つ以上の「部」や「手段」、「装置」、「システム」の機能が１つの物理的手段や装置により実現されても良い。
【図面の簡単な説明】
【００１０】
【図１】実施形態に係る充電システムの構成例を示す図である。
【図２】実施形態に係る充電サービス提供サーバの機能構成の具体例を示す図である。
【図３】実施形態に係る充電用アプリケーションの機能構成の具体例を示す図である。
【図４】実施形態に係る受電器の機能構成の具体例を示す図である。
【図５】実施形態に係る充電システムの処理の流れを示すシーケンス図である。
【図６】実施形態に係る充電サービス提供サーバのハードウェア構成の具体例を示す図である。
【図７】実施形態に係る携帯型端末のハードウェア構成の具体例を示す図である。
【発明を実施するための形態】
【００１１】
以下、図面を参照して本発明の実施形態を説明する。ただし、以下に説明する実施形態は、あくまでも例示であり、以下に明示しない種々の変形や技術の適用を排除する意図はない。即ち、本発明は、その趣旨を逸脱しない範囲で種々変形して実施することができる。また、以下の図面の記載において、同一または類似の部分には同一または類似の符号を付して表している。図面は模式的なものであり、必ずしも実際の寸法や比率等とは一致しない。図面相互間においても互いの寸法の関係や比率が異なる部分が含まれていることがある。
【００１２】
図１乃至図７は、実施形態を説明するための図である。以下、これらの図を参照しながら、以下の流れに沿って実施形態を説明する。まず、「１」で実施形態に係る充電システムの概要を説明する。続いて「２」で充電システムを構成する各機器の機能構成を説明し、「３」で充電システムにおける処理の流れを説明する。「４」では、充電システムを構成する各機器を実現可能なハードウェア構成の具体例を説明する。最後に「５」以降で、本実施形態に係る効果などを説明する。
【００１３】
（１．  概要）
（１．１．  システム構成の概要）
まず、図１を参照しながら、実施形態に係る充電システム１の構成及び処理の概要を説明する。充電システム１は、充電サービス提供サーバ１０と、ユーザＵの操作する携帯型端末２０と、充電器３０（給電スタンド）と、決済サービス提供サーバ４０と、クーポンサービス提供サーバ５０とを含む。充電サービス提供サーバ１０と、携帯型端末２０と、充電器３０と、決済サービス提供サーバ４０と、クーポンサービス提供サーバ５０とは、それぞれネットワークＮを介して有線又は無線により、相互に通信可能である。ここで、図１の例では携帯型端末２０及び充電器３０を１台ずつしか示していないが、充電システム１以内に携帯型端末２０及び充電器３０を複数含むことが可能である。また、携帯型端末２０は、充電器３０から送信された例えばＢｌｕｅｔｏｏｔｈ（登録商標）によるビーコン信号を受信可能である。
【００１４】
本充電システム１においてユーザＵは、携帯型端末２０及び電気自動車である車両ＥＶを所有もしくは貸借等することにより使用している。ユーザＵは、充電器３０の充電ケーブルに車両ＥＶを接続し、また、携帯型端末２０にインストールされた充電用アプリケーションプログラム（以下、アプリケーションプログラムをアプリとも呼ぶ。）を操作することにより、車両ＥＶ内のバッテリを充電することができる。
【００１５】
充電サービス提供サーバ１０は、ネットワークＮを介して、携帯型端末２０、充電器３０と逐次通信することにより、充電器３０による車両ＥＶへの給電等を制御する。また充電サービス提供サーバ１０は、携帯型端末２０へ充電状況や充電の完了を通知する。更に充電サービス提供サーバ１０は、充電器３０による充電開始に伴い、クーポンサービス提供サーバ５０に対し、充電器３０の周辺の店舗で利用可能なクーポンを携帯型端末２０に発行させる機能も持つ。なお、当該クーポン発行に関しては、充電開始を充電サービス提供サーバ１０が携帯型端末２０へ予め送信した上で、携帯型端末２０からクーポンサービス提供サーバ５０に対してクーポン発行要求を送信するようにしても良い。
【００１６】
携帯型端末２０は、例えばいわゆるスマートフォンと呼ばれる携帯電話や、タブレット型端末、ＰＤＡ（Ｐｅｒｓｏｎａｌ  Ｄｉｇｉｔａｌ  Ａｓｓｉｓｔａｎｔ）等により実現することができ、ネットワークＮを介して、充電サービス提供サーバ１０や、決済サービス提供サーバ４０と逐次通信する。携帯型端末２０には、先述の通り充電用アプリがインストールされている。携帯型端末２０は、充電器３０の一定距離内へと移動し、例えばＢｌｕｅｔｏｏｔｈ（登録商標）によるビーコン信号を受信すると、自動的に（すなわち自動的に）ビーコン信号に含まれる充電器３０の識別信号を取得し、充電サービス提供サーバ１０に当該識別信号を送信する。これにより、充電サービス提供サーバ１０からは当該識別信号に対応する充電器３０に関する情報が得られるため、携帯型端末２０の充電用アプリは、例えばポップアップ表示等により充電器３０に関する情報を、ユーザＵによる明示的な操作がなくとも表示することが可能である。
【００１７】
ユーザＵは、携帯型端末２０にインストールされた充電用アプリを実行及び操作することにより、充電サービス提供サーバ１０による制御の下、充電器３０から車両ＥＶのバッテリを充電することができる。この際、充電サービスの提供を受けるために必要なユーザＵの識別情報や決済情報は、携帯型端末２０の充電アプリが管理する記憶領域上に管理される。
【００１８】
また携帯型端末２０は、当該充電用アプリにより、充電状況や充電の完了をユーザＵに報知することもできる。これにより、ユーザＵは、たとえ充電器３０の近傍で待機せずとも、充電状況や充電完了を把握することが可能となる。更に携帯型端末２０は、充電サービス提供サーバ１０から発行されたクーポンをユーザＵが利用可能とする。
【００１９】
充電器３０は、充電サービス提供サーバ１０による制御の下、車両ＥＶに給電する。充電器３０は給電ケーブルの制御線により車両ＥＶの情報や充電状況を逐次車両ＥＶから取得可能であり、更に充電器３０はこれらの情報を逐次充電サービス提供サーバ１０へ通知可能である。また充電が完了した際には、充電器３０は充電完了を充電サービス提供サーバ１０へと通知する。なお、充電サービス提供サーバ１０と充電器３０との間の通信は、主にＯｐｅｎ  Ｃｈａｒｇｅ  Ｐｏｉｎｔ  Ｐｒｏｔｏｃｏｌ（ＯＣＰＰ）に基づいて行われる。
【００２０】
決済サービス提供サーバ４０は、携帯型端末２０からの要求に応じて、携帯型端末２０に格納された決済情報の有効性を確認する処理や、充電器３０による車両ＥＶの充電に伴い発生した代金をユーザＵに対して課金するための決済処理を行う。そのために決済サービス提供サーバ４０は、例えば銀行口座やクレジットカード等から、発生代金を引き落とす決済サービスを提供する。ここで、本実施形態において、決済に必要な決済情報は携帯型端末２０の充電用アプリが管理している。充電開始前に、携帯型端末２０の充電用アプリは決済サービス提供サーバ４０との間で決済情報の有効性を確認する。また、充電サービス提供サーバ１０からの充電完了通知の受信等のタイミングで、充電用アプリは決済サービス提供サーバ４０との間で決済処理を行う。
【００２１】
クーポンサービス提供サーバ５０は、充電サービス提供サーバ１０又は携帯型端末２０からの要求を受けて、携帯型端末２０に対してクーポンを発行する。ここで、クーポンサービス提供サーバ５０が発行するクーポンは、ユーザＵが充電を行っている充電器３０の近傍の店舗で利用できるものである。これによりユーザＵは、充電器３０による車両ＥＶの充電中に、充電器３０の近くの店舗で過ごすことができる。また先述の通り、ユーザＵがたとえ店舗の中にいたとしても、充電が完了すれば、ユーザＵは携帯型端末２０による報知でそれを知ることが可能である。
【００２２】
なお、前述のとおり、クーポン発行要求を送信するのは充電サービス提供サーバ１０であっても携帯型端末２０からであっても、いずれでも構わない。以下の説明では、主に、充電サービス提供サーバ１０側からクーポンサービス提供サーバ５０に対してクーポン発行を要求する場合を中心に説明する。
【００２３】
ネットワークＮは、先述の通り充電サービス提供サーバ１０、携帯型端末２０、充電器３０、決済サービス提供サーバ４０、及びクーポンサービス提供サーバ５０を相互に通信可能に接続する。ネットワークＮは、例えばインターネット等により実現することができ、内部に無線ＬＡＮのアクセスポイントや携帯電話の基地局等を含むことができる。
【００２４】
（１．２．  充電処理の概要）
以下、図１を参照しながら、充電システム１において充電を行う際の処理の流れを説明する。
【００２５】
充電器３０からは、Ｂｌｕｅｔｏｏｔｈ（登録商標）通信のＢｅａｃｏｎ（ビーコン）信号が定期的に発信されている。特に、充電器３０の発信するビーコン信号は、Ａｐｐｌｅ社のｉＢｅａｃｏｎ（登録商標）に準拠し、当該ビーコン信号には、充電器３０に対して一意に割り当てられる識別子の情報（識別情報）を含むことができる。
【００２６】
車両ＥＶの所有者であるユーザＵは、携帯型端末２０の充電用アプリが動作した状態で充電器３０から一定距離内に入ると、充電用アプリはビーコン信号の受信強度等から充電器３０の近傍にいることを検出し、その旨を自動的に（ユーザＵの明示的な操作なしに）画面表示上でユーザＵに通知することができる。なお、ビーコン信号の検出時において、充電用アプリはユーザＵによって明示的に起動されている必要は必ずしもなく、バックグラウンドで動作していれば良い。ビーコン信号を検出した携帯型端末２０の充電用アプリは、当該ビーコン信号に含まれる充電器３０の識別情報を、充電サービス提供サーバ１０へと送信する。
【００２７】
充電サービス提供サーバ１０は、充電器３０の識別情報を受信すると、当該識別情報に係る充電器情報をデータベース上で確認し、当該充電器情報を携帯型端末２０へと送信する。
【００２８】
携帯型端末２０の充電用アプリは、充電器情報を受信すると、当該充電器情報で示される充電器３０の給電ケーブルを車両ＥＶの給電端子に接続するように促す表示を行う。また、ユーザＵが充電器３０の給電ケーブルを車両ＥＶに接続し、充電を開始する旨の操作を充電用アプリ上で行うと、充電用アプリは、予め登録されているユーザＵの認証情報を充電サービス提供サーバ１０へ、決済情報を決済サービス提供サーバ４０へと送信する。ここで、ユーザＵの認証情報は、充電サービス提供サーバ１０が提供する充電サービスを受けるためにユーザＵが予め登録する情報であり、携帯型端末２０の充電用アプリが管理する記憶領域に格納される。また、決済情報は、ユーザＵが決済サービス提供サーバ４０の提供する決済サービスにて充電費用を支払うための情報である。例えば、決済情報にはクレジットカードや銀行口座に関する情報、或いは決済サービス提供サーバ４０が提供する決済サービスのアカウント情報（例えばメールアドレスやパスワード）等を含むことができる。決済情報は、予め携帯型端末２０の充電用アプリが管理する記憶領域に格納される。もし決済情報の確認処理の結果、当該決済情報が有効であることが確認できれば、携帯型端末２０の充電用アプリは、その確認結果を充電サービス提供サーバ１０へと通知する。
【００２９】
充電サービス提供サーバ１０は、携帯型端末２０からユーザＵの認証情報を受信すると、当該認証情報が有効であるか否かを確認する。もし認証情報が有効であり、また、決済情報の有効性を確認した旨の通知も携帯型端末２０から受信すれば、充電サービス提供サーバ１０は、ＯＣＰＰに基づく充電開始要求を充電器３０に対して送信する。また、充電サービス提供サーバ１０は、充電器３０による充電開始に伴い、クーポンサービス提供サーバ５０に対してクーポンの発行を要求する。クーポンサービス提供サーバ５０は当該要求を受けて、携帯型端末２０に対してクーポンを発行する。当該クーポンを例えば充電器３０の近傍に存在する店舗に関するものとすれば、ユーザＵは充電を待つ間に、それらの店舗で、携帯型端末２０を通じて当該クーポンを使用することができる。
【００３０】
なお、クーポン発行に係る処理については、前述のとおり、充電開始を充電サービス提供サーバ１０が携帯型端末２０に送信し、これを受けて携帯型端末２０の充電用アプリがクーポンサービス提供サーバ５０に対してクーポン発行を要求することにより、クーポンサービス提供サーバ５０が携帯型端末２０にクーポンを発行するようにしても良い。
【００３１】
充電器３０は、充電開始要求を充電サービス提供サーバ１０から受信すると、車両ＥＶの充電を開始する。充電器３０は、逐次車両ＥＶから給電ケーブルを介して充電電流／充電電圧や全容量に対する充電済み容量の割合、予測される充電の残り時間等に関する情報を取得し、充電サービス提供サーバ１０にＯＣＰＰに基づいて通知する。また、車両ＥＶに対する充電が完了すると充電器３０は充電完了を充電サービス提供サーバ１０へ通知する。
【００３２】
充電サービス提供サーバ１０は、逐次充電状況を携帯型端末２０へＯＣＰＰに基づいて通知することが可能である。これにより、携帯型端末２０の所有者であり、車両ＥＶの充電を待っているユーザＵは、車両ＥＶの充電状況、特に充電残り時間等を逐次把握することが可能となる。
【００３３】
また、充電完了通知を受信すると、充電サービス提供サーバ１０は、携帯型端末２０に対して充電完了を通知する。当該通知を受信した携帯型端末２０の充電用アプリは、充電量等に応じた決済処理を決済サービス提供サーバ４０との間で行う。決済処理が完了すると、携帯型端末２０の充電用アプリは、例えばポップアップ等によりその旨をユーザＵに報知する。
【００３４】
（２．  機能構成）
以下、図２乃至図４を参照しながら、本実施形態に係る充電システム１を構成する充電サービス提供サーバ１０、携帯型端末２０にインストールされる充電用アプリ２００、及び充電器３０の機能構成を説明する。
【００３５】
（２．１．  充電サービス提供サーバ１０）
まず、図２を参照しながら充電サービス提供サーバ１０の機能構成を説明する。図２は、充電サービス提供サーバ１０の機能構成の具体例を示す機能ブロック図である。充電サービス提供サーバ１０は、ユーザ端末制御部１１０、充電器制御部１２０、及びデータベース（ＤＢ）１３０を含む。
【００３６】
ユーザ端末制御部１１０は、携帯型端末２０との間で通信することで、ユーザＵによる携帯型端末２０に対する制御を行う。ユーザ端末制御部１１０は、充電器情報処理部１１１、充電状況通知部１１３、充電完了通知部１１５、ユーザ情報処理部１１７、及びクーポン発行処理部１１９を含む。
【００３７】
充電器情報処理部１１１は、ユーザＵの操作する携帯型端末２０から、充電器３０の識別情報を受信し、当該識別情報に対応する充電器情報１３３をＤＢ１３０から取得する。充電器情報１３３には、ユーザＵが充電器３０を物理的に確認するために必要な充電器３０の位置や名称等に関する文字列情報等を含むことができる。充電器情報処理部１１１は、当該充電器情報１３３を携帯型端末２０へと送信する。
【００３８】
充電状況通知部１１３は、充電器３０による車両ＥＶへの充電開始後、逐次ＯＣＰＰに基づき充電状況取得部１２３が取得した充電状況を、必要に応じて携帯型端末２０へ送信する。充電状況通知部１１３は、例えば定期的に充電状況を携帯型端末２０へ通知してもよいし、或いは携帯型端末２０からの問合せに応じて充電状況を通知してもよい。
【００３９】
充電完了通知部１１５は、充電器３０による車両ＥＶへの充電が完了した旨の充電完了通知を受信すると、充電完了を携帯型端末２０へと通知する。
【００４０】
ユーザ情報処理部１１７は、充電を開始する際に携帯型端末２０からユーザＵの認証情報を受信し、ＤＢ１３０に予め格納されているユーザ認証情報１３１と照合する。当該照合が成功すればユーザ認証が成功した、すなわち受信した認証情報が有効であると判断される。またユーザ情報処理部１１７は、ユーザＵが充電サービス提供サーバ１０の提供する充電サービスの利用登録を行う際に、ユーザＵのＩＤやパスワードを含む認証情報を携帯型端末２０等の情報処理装置から取得し、ＤＢ１３０に登録する。
【００４１】
クーポン発行処理部１１９は、充電器３０による車両ＥＶへの充電開始に伴い、クーポンサービス提供サーバ５０に、携帯型端末２０に対するクーポンの発行を要求する。ここで、クーポン発行処理部１１９による要求に基づいてクーポンサービス提供サーバ５０が携帯型端末２０に対して発行するクーポンは、例えば車両ＥＶへの充電を行っている充電器３０に係る充電器情報１３３に予め対応付けられた店舗等に関するクーポンとすることができる。
【００４２】
なお、もしクーポン発行要求を携帯型端末２０からクーポンサービス提供サーバ５０に対して送信する場合には、クーポン発行処理部１１９はクーポン発行要求をクーポンサービス提供サーバ５０に送信する代わりに、充電を開始する旨、すなわちクーポン発行の環境が整った旨の通知を携帯型端末２０に対して送信すれば良い。
【００４３】
ここで、充電器情報１３３に対応付けられる、クーポン発行対象となる店舗は、例えば、当該充電器情報１３３に係る充電器３０の近傍にある店舗、すなわちユーザＵが車両ＥＶの充電中に利用できる店舗としてもよい。更に、充電器３０から充電にかかる見込み時間等の充電に係る情報を取得すれば、クーポン発行処理部１１９はその内容に応じて、クーポンサービス提供サーバ５０に対して発行を要求するクーポンの中身を変えることも考えられる。例えば必要な充電時間や充電完了時刻に応じて、クーポンが適用になる時間や有効期限を変更したり、或いは充電量（発生すると推測される費用）に応じてクーポンにより割引となる金額や割引率等を変更したりしても良い。
【００４４】
なお、ここではクーポン発行処理部１１９が発行させるクーポンに関する情報は、データ上で充電器情報１３３に対応付けられるものとしても良いが、対応付ける方法はこれに限られるものではない。例えば、充電サービス提供サーバ１０のＤＢ１３０内又はクーポンサービス提供サーバ５０内に、クーポンを使用可能な店舗の緯度経度等の位置情報を管理するようにしても良い。この場合、クーポン発行処理部１１９は、充電を開始する充電器３０に係る充電器情報１３３に含まれる充電器３０の位置から一定距離内にある店舗に係るクーポンの発行をクーポンサービス提供サーバ５０に要求すれば良い。
【００４５】
充電器制御部１２０は、充電器３０との間でＯＣＰＰに基づく各種通信を行うことにより、充電器３０を制御する。充電器制御部１２０は、充電開始要求部１２１、充電状況取得部１２３、及び充電完了通知受信部１２５を含む。
【００４６】
充電開始要求部１２１は、ユーザ情報処理部１１７が携帯型端末２０から取得した認証情報の有効性がユーザ情報処理部１１７により確認され、また決済情報が有効である旨の通知を携帯型端末２０から受信すると、充電器３０に対し、ＯＣＰＰに基づき充電開始を要求する。充電器３０は当該要求を受信すると、給電ケーブルが車両ＥＶに接続されていれば、車両ＥＶへの給電を開始する。
【００４７】
充電状況取得部１２３は、充電器３０による車両ＥＶへの給電開始後、充電器３０から逐次、給電量や充電残り時間等に係る充電状況の情報をＯＣＰＰに基づき受信する。充電状況取得部１２３が受信した充電状況の情報は、ユーザ端末制御部１１０の充電状況通知部１１３が、例えば要求に応じて、若しくは随時、携帯型端末２０へ通知する。
【００４８】
充電完了通知受信部１２５は、充電器３０から、車両ＥＶへの充電が完了した旨の充電完了通知をＯＣＰＰに基づき受信する。充電完了通知受信部１２５が充電完了通知を受信すると、充電完了通知部１１５が携帯型端末２０に対して、充電及び決済が完了した旨を通知する。
ＤＢ１３０は、ユーザ認証情報１３１、及び充電器情報１３３を含む各種情報を管理する。
【００４９】
ユーザ認証情報１３１は、ユーザＵが、充電サービス提供サーバ１０の提供する充電サービスを利用する際に登録される認証のための情報であり、例えばユーザＩＤやパスワード等の情報を含むことができる。前述のとおり携帯型端末２０の充電用アプリは、当該充電用アプリの管理する記憶領域に認証情報を管理しており、充電サービスの開始時に、携帯型端末２０は当該認証情報を送信する。ユーザ情報処理部１１７は、当該受信した認証情報と、ＤＢ１３０で管理されるユーザ認証情報１３１とを照合し、両者が整合すれば、携帯型端末２０から受信した認証情報が正当なものであるとして認証する。
【００５０】
充電器情報１３３は、充電器３０に対して一意に割り当てられる識別情報と、充電器３０に関する、例えば位置等の情報とを対応付けたものである。充電器情報処理部１１１が充電器３０の識別情報を受信すると、充電器情報処理部１１１は当該識別情報をキーとして当該識別情報に対応付けられた充電器３０の充電器情報１３３を抽出し、充電器情報１３３を携帯型端末２０へと送信する。これによりユーザＵは、近傍にある（すなわち、識別番号をビーコン信号により識別番号を受信した）充電器３０に関する情報を、携帯型端末２０上で確認することが可能となる。
【００５１】
（２．２．  充電用アプリケーション２００）
次に、図３を参照しながら、本実施形態に係る携帯型端末２０にインストールされる充電用アプリケーション２００（以下、充電用アプリ２００ともいう。）の機能構成を説明する。充電用アプリ２００は、表示制御部２１０、入力部２２０、充電器情報処理部２３０、ユーザ情報処理部２４０、クーポン処理部２５０、決済処理部２６０及びデータベース（ＤＢ）２７０を含む。
【００５２】
表示制御部２１０は、携帯型端末２０のディスプレイに対する表示を制御する。例えば、ビーコン信号として受信した充電器３０の識別番号に対応する充電器情報を充電サービス提供サーバ１０から受信した場合に、表示制御部２１０は当該充電器情報を携帯型端末２０のディスプレイ上に表示する。また、例えば充電完了通知を充電サービス提供サーバ１０から受信し、また決済処理部２６０による充電費用の決済処理が完了した際には、表示制御部２１０は充電及び決済が完了した旨を携帯型端末２０のディスプレイ上に表示する。その他、表示制御部２１０は、ユーザＵへ情報を報知するための各種表示を制御する。
【００５３】
入力部２２０は、携帯型端末２０に設けられた例えば操作ボタンやタッチパネルなどへのユーザＵからの入力操作を受け付け、関係する機能ブロックへ操作内容を伝達する。例えば充電を開始するための操作入力がなされた場合には、入力部２２０はユーザ情報処理部２４０へその旨を伝達し、ユーザ情報処理部２４０は充電を開始するために必要な認証情報２７１を充電サービス提供サーバ１０へと送信する。また、入力部２２０は充電を開始する操作が行われるとその旨を決済処理部２６０にも伝達し、決済処理部２６０は決済サービス提供サーバ４０との間で決済情報２７３の有効性を確認する。
【００５４】
充電器情報処理部２３０は、充電器３０に係る各種処理を行う。充電器情報処理部２３０は、識別情報受信部２３１、識別情報通知部２３３、充電状況処理部２３５、及び充電完了処理部２３７を含む。
【００５５】
識別情報受信部２３１は、充電器３０からＢｌｕｅｔｏｏｔｈ（登録商標）規格を利用したｉＢｅａｃｏｎ（登録商標）に基づくビーコン信号の一部として、充電器３０の識別情報を受信する。識別情報通知部２３３は、当該受信した充電器３０の識別情報を、ネットワークＮを介して充電サービス提供サーバ１０へと送信する。これにより、充電サービス提供サーバ１０は当該識別情報に対応する充電器情報１３３を検索し、当該充電器情報１３３を携帯型端末２０へと送信する。表示制御部２１０は当該受信した充電器情報に基づき、ユーザＵに充電器３０の情報を報知する。
【００５６】
充電状況処理部２３５は、例えばユーザ操作に応じて充電サービス提供サーバ１０に対して充電状況を問い合わせ、充電器３０による車両ＥＶへの充電状況を受信する。表示制御部２１０は、受信した、例えば充電残り時間や充電割合等の充電状況を、ユーザＵに報知すべくディスプレイに表示する。充電状況処理部２３５は、ユーザ操作に応じて充電サービス提供サーバ１０に充電状況を問い合わせずとも、例えば定期的に充電サービス提供サーバ１０から充電状況を受信しても良い。
【００５７】
充電完了処理部２３７は、充電器３０による車両ＥＶへの充電が完了し、また当該充電に伴い発生した費用の決済が完了した旨の充電完了通知を充電サービス提供サーバ１０から受信する。充電完了処理部２３７が当該充電完了通知を受信すると、決済処理部２６０は当該充電量等に応じた充電費用に係る決済処理を、決済サービス提供サーバ４０との間で行う。決済処理部２６０による決済処理が完了すれば、表示制御部２１０は充電及び決済が完了した旨を、例えばポップアップ等によりユーザＵに報知する。
【００５８】
ユーザ情報処理部２４０は、例えば充電サービス提供サーバ１０から充電器情報を受信し、表示制御部２１０が当該充電器への充電を要求するための操作を行った場合に、ＤＢ２７０から認証情報２７１を読み出し、充電サービス提供サーバ１０へと送信する。ここで、認証情報２７１は、例えば充電用アプリ２００の初回起動時や充電サービスの初回利用時等のタイミングで予めユーザＵに登録され、ＤＢ２７０内で管理される。
【００５９】
クーポン処理部２５０は、例えば充電開始時等のタイミングで充電サービス提供サーバ１０から発行されるクーポンをユーザＵに利用可能とする。クーポン処理部２５０が当該クーポンを利用させる形式はいかなる形式であっても良い。例えば、二次元バーコード等をディスプレイ上に外部装置が読取り可能に表示させるようにしても良いし、店員が内容を確認可能に文字列等によりクーポンを表示させるようにしても良い。或いは、例えばＩＣチップを用いた近距離無線通信等によりクーポンを外部装置が読み取り可能としてもよい。もしクーポンに有効期限が設定されている場合には、クーポン処理部２５０は当該クーポンを利用不可とすることができる。
【００６０】
決済処理部２６０は、ユーザＵが充電器３０による車両ＥＶの充電を要求する際に、ＤＢ２７０から決済情報２７３を読みだして、当該決済情報２７３を決済サービス提供サーバ４０に送信することにより、決済情報２７３が有効であるか否かを確認する。また決済処理部２６０は、ユーザＵの保有する車両ＥＶへの充電が完了した旨の充電完了通知を充電サービス提供サーバ１０から充電完了処理部２３７が受信すると、決済情報２７３を用いて、決済サービス提供サーバ４０との間で決済処理を行う。ここで、決済情報２７３は、例えば充電用アプリ２００の初回起動時や充電サービスの初回利用時等のタイミングで予めユーザＵに登録され、ＤＢ２７０内で管理される。
【００６１】
決済処理部２６０が行う決済サービス提供サーバ４０との間の決済処理は種々考えられるが、例えば、決済情報２７３に含まれるクレジットカード番号や口座番号等の情報を元に決済サービス提供サーバ４０との間で決済処理を行うことが考えられる。或いは決済サービス提供サーバ４０側でユーザアカウントに紐付けられたクレジットカードを用いた決済サービスを提供しており、決済処理部２６０は当該ユーザアカウントに決済情報２７３に含まれる情報を用いてログインすることにより決済処理を実行しても良い。この場合、決済処理部２６０は、当該ユーザアカウントにログインするためのＩＤ及びパスワード等を含む決済情報２７３を用いて、決済サービス提供サーバ４０の提供する決済サービスにて決済処理を行う。
【００６２】
このように、充電システム１において、充電に係る費用をユーザＵが支払うために用いる決済情報２７３は、あくまでユーザＵの保有する携帯型端末２０上で管理され、充電サービス提供サーバ１０に渡されることはない。これにより、当該充電システム１上では、ユーザＵの決済情報２７３に係るセキュリティを担保することが可能である。
【００６３】
ＤＢ２７０は、認証情報２７１及び決済情報２７３を、充電用アプリ２００が管理する記憶領域上に管理する。認証情報２７１は、例えば充電システム１で提供される充電サービスをユーザＵが利用するための認証に用いられる情報であり、例えばユーザＩＤやパスワード等の情報を含むことができる。
【００６４】
決済情報２７３は、ユーザＵが充電に係る費用を支払うための各種情報である。例えば、決済情報２７３には、クレジットカード番号等の情報や、銀行口座などの情報を含むことができる。或いは、決済サービス提供サーバ４０の提供する決済サービスにてクレジットカードの情報や銀行口座などの情報を管理する場合には、例えば当該決済サービスを利用するためのログイン情報を決済情報２７３に含むことができる。この場合、決済情報２７３には、決済サービスのユーザアカウントにログインするためのＩＤやパスワード等の情報を含むことができる。
【００６５】
（２．３．  充電器３０）
続いて、図４を参照しながら、本実施形態に係る充電器３０の機能構成を説明する。充電器３０は、大きくサーバ通信部３１０と、車両制御部３２０とを含む。
【００６６】
サーバ通信部３１０は、充電サービスを車両ＥＶに提供するにあたって、必要な通信を充電サービス提供サーバ１０との間で行う。サーバ通信部３１０による充電サービス提供サーバ１０との間の通信は、標準規格であるＯＣＰＰに基づいて行われる。サーバ通信部３１０は、充電開始要求受信部３１１、充電状況通知部３１３、及び充電完了通知部３１５を含む。
【００６７】
充電開始要求受信部３１１は、充電サービス提供サーバ１０からＯＣＰＰに基づく充電開始要求を受信する。充電開始要求受信部３１１が充電開始要求を受信すると、車両制御部３２０に含まれる給電部３２３は給電ケーブルに接続された車両ＥＶへの給電を開始する。
【００６８】
充電状況通知部３１３は、車両制御部３２０に含まれる充電状況取得部３２１が車両ＥＶから随時取得する充電状況を、ＯＣＰＰに基づいて充電サービス提供サーバ１０へと通知する。また、車両ＥＶに搭載されたバッテリの充電が完了すると、充電完了通知部３１５は、充電が完了した旨の充電完了通知を充電サービス提供サーバ１０へとＯＣＰＰにより送信する。
車両制御部３２０は、車両ＥＶの搭載するバッテリへの充電に係る各種制御を行う。車両制御部３２０は、充電状況取得部３２１、及び給電部３２３を含む。
【００６９】
充電状況取得部３２１は、給電ケーブルを通じて接続される車両ＥＶとの間で通信を行うことにより、車両ＥＶの情報や充電に要する時間、充電割合（全容量に占める現在の充電量の割合）等の情報を車両ＥＶから取得する。当該充電情報は、サーバ通信部３１０に含まれる充電状況通知部３１３から充電用アプリ２００へと通知される。
給電部３２３は、給電ケーブルに接続された車両ＥＶに搭載されたバッテリに給電することにより、当該バッテリを充電する。
【００７０】
（３．  処理の流れ）
以下、充電システム１における処理の流れを、図５を参照しながら説明する。図５は、本実施形態に係る充電システム１の処理の流れを示すシーケンス図である。
【００７１】
なお、後述の各処理ステップは、処理内容に矛盾を生じない範囲で、任意に順番を変更して若しくは並列に実行することができ、また、各処理ステップ間に他のステップを追加しても良い。更に、便宜上１つのステップとして記載されているステップは複数のステップに分けて実行することもでき、便宜上複数に分けて記載されているステップを１ステップとして実行することもできる。
【００７２】
充電器３０は、定期的にｉＢｅａｃｏｎ（登録商標）に基づくビーコン信号を送信する（Ｓ５０１）。ユーザＵが充電器３０の近傍に移動することにより携帯型端末２０の充電用アプリ２００が識別情報受信部２３１で当該ビーコン信号を受信すると、識別情報受信部２３１はビーコン信号の中に含まれる充電器３０の識別情報を抽出する（Ｓ５０３）。識別情報通知部２３３は当該識別情報を充電サービス提供サーバ１０へと送信する（Ｓ５０５）。充電サービス提供サーバ１０の充電器情報処理部１１１は、当該受信した識別情報をキーとしてＤＢ１３０を検索することにより、当該識別情報に対応する充電器３０に係る充電器情報１３３を取得する。充電器情報処理部１１１は、当該充電器情報１３３を携帯型端末２０へと送信する（Ｓ５０７）。
【００７３】
携帯型端末２０の充電用アプリ２００は、充電サービス提供サーバ１０から充電器情報を受信すると、充電器３０の情報と共に、充電器３０の給電ケーブルを車両ＥＶに接続することを求める表示を表示制御部２１０により行う。その結果、ユーザＵから充電器３０による車両ＥＶへの充電を行う旨の操作入力が入力部２２０に対してなされると（Ｓ５０９）、ユーザ情報処理部２４０は、予めＤＢ２７０に登録されている認証情報２７１を読み出して充電サービス提供サーバ１０へと通知する（Ｓ５１１）。また決済処理部２６０は、予めＤＢ２７０に登録されている決済情報２７３を読み出して決済サービス提供サーバ４０に当該決済情報２７３が有効であるか否かを問い合わせる（Ｓ５１３）。決済サービス提供サーバ４０は受信した決済情報２７３が有効に費用を引き落とすことができるものであるか否かを確認し（Ｓ５１７）、その確認結果を充電用アプリ２００へと通知する（Ｓ５１９）。充電用アプリ２００の決済処理部２６０は、決済情報２７３の有効性に係る確認結果を、充電サービス提供サーバ１０に対して送信する（Ｓ５２１）。
【００７４】
充電サービス提供サーバ１０のユーザ情報処理部１１７は、受信した認証情報２７１の有効性を確認する。具体的には、ユーザ情報処理部１１７は、受信した認証情報２７１をＤＢ１３０に格納されたユーザ認証情報１３１と照合し、両者が一致すれば認証情報２７１が有効なものであると判断する。また、ユーザ情報処理部１１７は、携帯型端末２０が有効に決済可能である（決済情報２７３が有効である）旨の通知を携帯型端末２０から受信する。その結果、携帯型端末２０から受信した認証情報２７１が有効であり、また携帯型端末２０が決済可能な状態である場合には、充電開始要求部１２１は充電器３０に対して充電開始を要求する（Ｓ５２３）。充電開始要求を受信した充電器３０は、給電部３２３により給電ケーブルに接続された車両ＥＶに対する充電を開始する（Ｓ５２５）。
【００７５】
また、充電サービス提供サーバ１０のクーポン発行処理部１１９は、充電中にユーザＵが利用可能なクーポンの発行をクーポンサービス提供サーバ５０に対して要求する（Ｓ５２７）。クーポンサービス提供サーバ５０は当該要求を受けて、充電用アプリ２００に対してクーポンを発行する。携帯型端末２０の充電用アプリ２００は、当該クーポンを表示し、ユーザＵが利用可能な状態とする（Ｓ５２９）。
【００７６】
なお、クーポン発行に係る処理は、これに限られるものではない。例えば、充電サービス提供サーバ１０のクーポン発行処理部１１９が充電器３０による充電を開始する旨を携帯型端末２０の充電用アプリ２００に通知し、充電用アプリ２００がクーポンサービス提供サーバ５０に対してクーポン発行を要求することも考えられる。
【００７７】
クーポンサービス提供サーバ５０が発行するクーポンは、充電器３０の近傍にある店舗にかかるものであり、例えば充電器３０から一定距離内にある店舗とすることができる。このとき、クーポンは充電に要する予測時間や充電必要容量等に応じて内容を変えることも考えられる。
【００７８】
充電を開始（Ｓ５２５）した後は、充電器３０の充電状況取得部３２１は逐次充電状況を車両ＥＶから取得し、当該充電状況をＯＣＰＰに基づき充電サービス提供サーバ１０へと通知する（Ｓ５３１）。充電サービス提供サーバ１０は、充電器３０から受信した充電状況に基づき、例えば充電用アプリ２００からの要求に応じて、充電状況を携帯型端末２０へと通知する（Ｓ５３３）。通知された充電状況は、充電用アプリ２００の表示制御部２１０がディスプレイ上に表示する（Ｓ５３５）。
【００７９】
充電器３０による車両ＥＶへの給電が終了すると、充電器３０の充電完了通知部３１５は充電完了を充電サービス提供サーバ１０へと通知する（Ｓ５３７）。充電サービス提供サーバ１０は充電完了通知を充電器３０から受信すると、充電完了通知部１１５が充電完了通知を携帯型端末２０へと送信する（Ｓ５３９）。
【００８０】
充電用アプリ２００の充電完了処理部２３７が充電完了通知を受信すると、決済処理部２６０は、充電完了通知に含まれる例えば充電量等の情報に基づき、決済サービス提供サーバ４０との間で充電に係る費用の支払処理（決済処理）を行う（Ｓ５４１）。
【００８１】
携帯型端末２０の充電用アプリ２００は、決済処理部２６０による決済処理が完了すると、表示制御部２１０が充電及び決済が完了した旨を例えばポップアップにより表示することによりユーザＵへ報知する（Ｓ５４３）。
【００８２】
（４．  ハードウェア構成）
次に、図６及び図７を参照しながら、充電サービス提供サーバ１０及び携帯型端末２０のハードウェア構成について図６及び図７を参照しながら説明する。
【００８３】
（４．１．  充電サービス提供サーバ１０）
まず、図６を参照しながら充電サービス提供サーバ１０のハードウェア構成を説明する。図６に示すように、充電サービス提供サーバ１０は、制御部６０１と、通信インタフェース（Ｉ／Ｆ）部６０５と、記憶部６０７と、表示部６１３と、入力部６１５とを含み、各部はバスライン６１７を介して接続される。
【００８４】
制御部６０１は、ＣＰＵ（Ｃｅｎｔｒａｌ  Ｐｒｏｃｅｓｓｉｎｇ  Ｕｎｉｔ。図示せず）、ＲＯＭ（Ｒｅａｄ  Ｏｎｌｙ  Ｍｅｍｏｒｙ。図示せず）、ＲＡＭ（Ｒａｎｄｏｍ  Ａｃｃｅｓｓ  Ｍｅｍｏｒｙ）６０３等を含む。制御部６０１は、記憶部６０７に記憶される制御プログラム６０９を実行することにより、一般的な情報処理装置としての機能に加え、上述した充電サービスにかかる処理を実現可能に構成される。例えば、図２を参照しながら説明したユーザ端末制御部１１０、及び充電器制御部１２０は、ＲＡＭ６０３に一時記憶された上で、ＣＰＵ上で動作する制御プログラム６０９として実現可能である。
【００８５】
また、ＲＡＭ６０３は、制御プログラム６０９に含まれるコードの他、図２に示したユーザ認証情報１３１、及び充電器情報１３３を格納するＤＢ１３０の一部又は全部を一時的に保持する。更にＲＡＭ６０３は、ＣＰＵが各種処理を実行する際のワークエリアとしても使用される。
【００８６】
通信Ｉ／Ｆ部６０５は、携帯型端末２０や充電器３０、クーポンサービス提供サーバ５０を含む外部の装置との間で、有線又は無線によるネットワークＮを介したデータ通信を行うためのデバイスである。図２で示したユーザ端末制御部１１０、充電器制御部１２０が携帯型端末２０や充電器３０、クーポンサービス提供サーバ５０との間で行う通信は、全て通信Ｉ／Ｆ部６０５が行う。
【００８７】
記憶部６０７は、例えばＨＤＤ（Ｈａｒｄ  Ｄｉｓｋ  Ｄｒｉｖｅ）やフラッシュメモリ等の不揮発性の記憶媒体である。記憶部６０７は、一般的な情報処理装置としての機能を実現するためのオペレーティングシステム（ＯＳ）やアプリケーション及びデータ（図示せず）を記憶する。また記憶部６０７は、制御プログラム６０９及びＤＢ１３０を記憶する。前述のとおり、図２に示したユーザ端末制御部１１０、及び充電器制御部１２０は、制御プログラム６０９に含まれる。
【００８８】
ＤＢ１３０は、充電制御に必要な各種データ、例えば図２に示したユーザ認証情報１３１、及び充電器情報１３３などを含むことができる。ＤＢ１３０に含まれる各種データは、必要に応じてＲＡＭ６０３等にロードされ、制御部６０１に含まれるＣＰＵから参照される。
【００８９】
表示部６１３は、管理者に情報を表示するためのディスプレイ装置である。表示部６１３の具体例としては、例えば液晶ディスプレイや有機ＥＬ（Ｅｌｅｃｔｒｏ−Ｌｕｍｉｎｅｓｃｅｎｃｅ）ディスプレイ等が挙げられる。入力部６１５は、管理者から入力を受け付けるためのデバイスである。入力部６１５の具体例としては、キーボードやマウス、タッチパネル等を挙げることができる。
【００９０】
なお、充電サービス提供サーバ１０は、表示部６１３及び入力部６１５を必ずしも備える必要はない。また表示部６１３及び入力部６１５は、ＵＳＢ（Ｕｎｉｖｅｒｓａｌ  Ｓｅｒｉａｌ  Ｂｕｓ）やディスプレイポート等の各種インタフェースを介して外部から充電サービス提供サーバ１０に接続されても良い。
【００９１】
（４．２．  携帯型端末２０）
次に、図７を参照しながら携帯型端末２０のハードウェア構成を説明する。図７に示すように、携帯型端末２０は、制御部７０１と、Ｂｌｕｅｔｏｏｔｈ（登録商標）通信部７０５と、インターネット通信部７０７と、記憶部７０９と、表示部７１１と、入力部７１３とを含み、各部はバスライン７１５を介して接続される。
【００９２】
制御部７０１は、ＣＰＵ（図示せず）、ＲＯＭ（図示せず）、ＲＡＭ７０３等を含む。制御部７０１は、記憶部７０９に記憶される充電用アプリ２００を実行することにより、一般的な情報処理装置としての機能に加え、上述した充電サービスに係る処理を実現可能に構成される。例えば、図３を参照しながら説明した表示制御部２１０、入力部２２０、充電器情報処理部２３０、ユーザ情報処理部２４０、クーポン処理部２５０、及び決済処理部２６０は、ＲＡＭ７０３に一時記憶された上で、ＣＰＵ上で動作する充電用アプリ２００の２００一部として実現可能である。
【００９３】
また、ＲＡＭ７０３は、充電用アプリ２００に含まれるコードの他、図３に示した認証情報２７１及び決済情報２７３を格納するＤＢ２７０の一部又は全部を一時的に保持する。更にＲＡＭ７０３は、ＣＰＵが各種処理を実行する際のワークエリアとしても使用される。
【００９４】
Ｂｌｕｅｔｏｏｔｈ（登録商標）通信部７０５は、例えば充電器３０から定期的に送信されるＢｌｕｅｔｏｏｔｈ（登録商標）通信によるビーコン信号を受信するためのデバイスである。図３に示した識別情報受信部２３１が受信するビーコン信号は、Ｂｌｕｅｔｏｏｔｈ（登録商標）通信部７０５が受信する。
【００９５】
インターネット通信部７０７は、充電サービス提供サーバ１０、決済サービス提供サーバ４０及びクーポンサービス提供サーバ５０を含む外部の装置との間で、ネットワークＮを介したデータ通信を行うためのデバイスである。図３で示した識別情報通知部２３３、充電状況処理部２３５、充電完了処理部２３７、クーポン処理部２５０、決済処理部２６０等が充電サービス提供サーバ１０やクーポンサービス提供サーバ５０との間で行う通信は、全てインターネット通信部７０７が行う。
【００９６】
記憶部７０９は、例えばＨＤＤやフラッシュメモリ等の不揮発性の記憶媒体である。記憶部７０９は、一般的な情報処理装置としての機能を実現するためのオペレーティングシステムやアプリケーション及びデータを記憶する。また記憶部７０９は、充電用アプリ２００を記憶する。充電用アプリ２００には、表示制御部２１０、入力部２２０、充電器情報処理部２３０、ユーザ情報処理部２４０、及びクーポン処理部２５０が含まれる。また記憶部７０９には、充電用アプリ２００が管理し、ＤＢ２７０を格納する記憶領域も確保される。ＤＢ２７０には、図３で説明したように、認証情報２７１及び決済情報２７３が含まれる。ＤＢ２７０に含まれる各種データは、必要に応じてＲＡＭ７０３にロードされ、制御部７０１に含まれるＣＰＵから参照される。
【００９７】
表示部７１１は、ユーザＵに報知する情報を表示するためのディスプレイ装置である。表示部７１１の具体例としては、例えば液晶ディスプレイや有機ＥＬディスプレイ等が挙げられる。入力部７１３は、ユーザＵから入力を受け付けるためのデバイスである。入力部７１３の具体例としては、タッチパネルや各種操作ボタン等を挙げることができる。
なお、表示部７１１及び入力部７１３は、例えばＢｌｕｅｔｏｏｔｈ（登録商標）通信部７０５が通信可能な外部装置等として実現することも可能である。
【００９８】
（５．  本実施形態の効果）
以上説明したように、本実施形態に係る充電システム１では、充電器３０から定期的に送信されるビーコン信号に基づき、携帯型端末２０上に充電を行うか否かの表示が自動的になされ、ユーザＵは当該表示に基づいて充電を行うことが可能である。携帯型端末２０が充電器３０から一定距離に近づけばこのような表示がなされるため、ユーザＵはわざわざ携帯型端末２０で二次元バーコード等を読み込む等の作業を行う必要がなく、簡易な操作で充電を開始することが可能である。
【００９９】
更に、本実施形態では、充電用アプリ２００が予め決済情報２７３を管理しており、充電開始時にはこの情報を充電用アプリ２００が読みだして、直接、決済サービス提供サーバ４０へ送信する。すなわち、ユーザＵは毎回ＩＤやパスワード、クレジットカード等の情報を入力する必要が無いため、この点でも充電に係る操作性を向上させている。更に、決済情報２７３は充電サービス提供サーバ１０に対しては特に送信されないため、セキュリティを担保することもできる。
【０１００】
また、本実施形態にかかる充電システム１では、充電サービス提供サーバ１０と充電器３０との間の通信は、国際的な標準規格であるＯＣＰＰに基づいて行われる。これにより、幅広いメーカーにより製造された充電器３０を充電システム１に適用することが可能である。
【０１０１】
また、本実施形態に係る充電システム１では、充電開始時に、ユーザＵに対して充電器３０の近傍等の店舗で利用可能なクーポンが発行される。これにより、例えば充電器３０を設置している商業施設等の売上向上等を図ることができ、他方、ユーザＵにとっては、充電待ち時間を有効に活用することが可能となる。
【０１０２】
（６．  付記事項）
なお、上述の実施形態の構成は、組み合わせたり或いは一部の構成部分を入れ替えたりしてもよい。また、本発明の構成は上述の実施形態のみに限定されるものではなく、本発明の要旨を逸脱しない範囲内において種々変更を加えてもよい。
【符号の説明】
【０１０３】
１      ：充電システム
１０    ：充電サービス提供サーバ
２０    ：携帯型端末
３０    ：充電器
４０    ：決済サービス提供サーバ
５０    ：クーポンサービス提供サーバ
１１０  ：ユーザ端末制御部
１１１  ：充電器情報処理部
１１３  ：充電状況通知部
１１５  ：充電完了通知部
１１７  ：ユーザ情報処理部
１１９  ：クーポン発行処理部
１２０  ：充電器制御部
１２１  ：充電開始要求部
１２３  ：充電状況取得部
１２５  ：充電完了通知受信部
１３０  ：データベース（ＤＢ）
２００  ：充電用アプリケーション
２１０  ：表示制御部
２２０  ：入力部
２３０  ：充電器情報処理部
２３１  ：識別情報受信部
２３３  ：識別情報通知部
２３５  ：充電状況処理部
２３７  ：充電完了処理部
２４０  ：ユーザ情報処理部
２５０  ：クーポン処理部
２６０  ：決済処理部
２７０  ：データベース
ＥＶ    ：車両
Ｕ      ：ユーザ
【要約】
【課題】充電サービスの利便性を向上させることのできる充電制御システム、アプリケーションプログラム、及び充電制御方法を提供する。
【解決手段】充電器が送信するビーコン信号に含まれる充電器の識別情報を、ユーザが操作する携帯端末から受信する手段と、識別情報に対応する充電器の情報を携帯端末へ送信する手段と、携帯端末のアプリケーションプログラムが管理するユーザの認証情報を、携帯端末から受信する手段と、携帯端末のアプリケーションプログラムが管理する決済情報の有効性に係る情報を携帯端末から受信する手段と、認証情報による認証が成功し、決済情報が有効である場合に、充電器に対する充電開始要求をＯＣＰＰ（Ｏｐｅｎ  Ｃｈａｒｇｅ  Ｐｏｉｎｔ  Ｐｒｏｔｏｃｏｌ）に基づき送信する手段と、充電開始要求を充電器に送信する際に、携帯端末にクーポンを発行するための処理を行う手段とを備える。
【選択図】図２【図１】
0005903184.tif 000002
【図２】
0005903184.tif 000003
【図３】
0005903184.tif 000004
【図４】
0005903184.tif 000005
【図５】
0005903184.tif 000006
【図６】
0005903184.tif 000007
【図７】
0005903184.tif 000008